(57)【特許請求の範囲】
【請求項１】
コネクタハウジングに用いられる雄型端子であって、
雌型端子に挿入される部分であるタブ部と、電線が接続される部分である電線接続部とを備え、
前記タブ部は、上側層及び下側層を有する二層構造を有しており、
前記上側層において、互いに対向して延びる一対の縁部である側縁部を有する板状の上側タブ部と、
前記下側層において、互いに対向して延びる一対の縁部である側縁部を有する板状の下側タブ部と、を有しており、
前記上側タブ部の側縁部のうち一方の側縁部と前記下側タブ部の側縁部のうち一方の側縁部とは一体につながっており、
前記上側タブ部には、前記下側層に面する側とは反対の側に向かって延びる部分である係止部と、前記上側タブ部の側縁部のうち一方の側縁部から一体につながり、前記側縁部の間を延伸して前記下側タブ部と重なる延伸部と、が形成されており、
前記延伸部は、前記下側タブ部と接合された延伸部側接合部を有することを特徴とする雄型端子。
【請求項２】
コネクタハウジングに用いられる雄型端子であって、
雌型端子に挿入される部分であるタブ部と、電線が接続される部分である電線接続部とを備え、
前記タブ部は、上側層及び下側層を有する二層構造を有しており、
前記上側層において、互いに対向して延びる一対の縁部である側縁部を有する板状の上側タブ部と、
前記下側層において、互いに対向して延びる一対の縁部である側縁部を有する板状の下側タブ部と、を有しており、
前記上側タブ部の側縁部のうち一方の側縁部と前記下側タブ部の側縁部のうち一方の側縁部とは一体につながっており、
前記上側タブ部には、前記下側層に面する側とは反対の側に向かって延びる部分である係止部と、前記上側タブ部の側縁部のうち一方の側縁部から一体につながり、前記側縁部の間を延伸して前記下側タブ部と重なる延伸部と、が形成されており、
前記係止部は、前記上側タブ部の側縁部が延びる延び方向の一側が前記上側タブ部に一体につながった連結端部を有し、
前記延伸部は、前記下側タブ部と線状に接合された延伸部側接合部を有し、
前記連結端部は、前記延伸部側接合部の延長線上に前記下側タブ部と結合された連結端部側接合部を有することを特徴とする雄型端子。
【請求項３】
前記上側層は、前記上側タブ部の側縁部のうち一方の側縁部を有する一方の上側タブ部と、前記上側タブ部の側縁部のうち他方の側縁部を有する他方の上側タブ部を有しており、
前記一方の上側タブ部の一方の側縁部と前記下側タブ部の一方の側縁部、及び、前記他方の上側タブ部の他方の側縁部と前記下側タブ部の他方の側縁部は一体につながっており、
前記一方の上側タブ部に前記係止部が形成されていることを特徴とする請求項１又は２に記載の雄型端子。
【請求項４】
前記上側層において、前記上側タブ部は、前記下側タブ部から曲げられて形成されていることを特徴とする請求項１乃至３のいずれか１項に記載の雄型端子。
【請求項５】
前記上側タブ部には、該上側タブ部の側縁部のうち一方の側縁部から一体につながり、前記側縁部の間を延伸して前記下側タブ部と重なる延伸部が形成されていることを特徴とする請求項２乃至４のいずれか１項に記載の雄型端子。
【請求項６】
前記下側タブ部には、該下側タブ部の側縁部からそれぞれ外方に向けて張り出した部分である張出部が形成されており、
前記延伸部は、前記上側タブ部の側縁部が延びる延び方向における一側が、前記張出部を超えて前記電線接続部側に延びていることを特徴とする請求項５に記載の雄型端子。
【請求項７】
前記延伸部は、前記下側タブ部と接合された延伸部側接合部を有することを特徴とする請求項５又は６に記載の雄型端子。
【請求項８】
前記上側タブ部には、該上側タブ部の側縁部のうち一方の側縁部から一体につながり、前記側縁部の間を延伸して前記下側タブ部と重なる延伸部が形成されており、
前記係止部は、前記上側タブ部の側縁部が延びる延び方向の一側が前記上側タブ部に一体につながった連結端部を有し、
前記延伸部は、前記下側タブ部と線状に接合された延伸部側接合部を有し、
前記連結端部は、前記延伸部側接合部の延長線上に前記下側タブ部と結合された連結端部側接合部を有することを特徴とする請求項１、３乃至７のいずれか１項に記載の雄型端子。
【請求項９】
端子付き電線であって、
電線と、
請求項１乃至８のいずれか１項に記載の雄型端子と、を備え、
前記電線の一端が前記雄型端子の接続部に接続されていることを特徴とする端子付き電線。
【発明の詳細な説明】
【技術分野】
【０００１】
本発明は、雄型端子及び端子付き電線に関し、特に、コネクタハウジングの内部に係止して雌型端子と接続する雄型端子、該雄型端子に電線が接続された端子付き電線に関する。
【背景技術】
【０００２】
従来から、電気信号の送受信や電力の供給のため、例えば自動車の車内配線には、電線が接続された端子を有するコネクタハウジングが用いられている。これらの従来の端子は、コネクタハウジング同士が接続されることにより、電線が接続された相手側の端子と接続されて電線同士の導通がなされている（例えば、特許文献１参照）。
【０００３】
このようなコネクタハウジングに使用される従来の端子には、相手側の端子との接続の際に端子がコネクタハウジングから抜け出てしまうことの防止を図るため、コネクタハウジングの内部に係止可能な係止部を有するタブ部が形成されているものがある。
【先行技術文献】
【特許文献】
【０００４】
【特許文献１】特開２０１１−２２８０１２号公報
【発明の概要】
【発明が解決しようとする課題】
【０００５】
しかしながら、従来の端子においては、１枚の板材によりタブ部が形成されているため、板材を打ち抜いてコネクタハウジングに保持される係止部を形成するとタブ部の幅方向に狭い部分が形成され、端子に外力が加わると破損する場合がある。
【０００６】
このように、コネクタハウジングに係止する係止部を有する従来の端子においては、端子に大きな外力が加わった場合でも端子が破損しないようにするために、強度の向上を図ることができる端子の構造が求められていた。
【０００７】
本発明は上述の課題に鑑みてなされたものであり、その目的は、強度の向上を図ることが可能な雄型端子及び端子付き電線を提供することにある。
【課題を解決するための手段】
【０００８】
上記目的を達成するため、本発明に係る雄型端子は、コネクタハウジングに用いられる雄型端子であって、雌型端子に挿入される部分であるタブ部と、電線が接続される部分である電線接続部とを備え、前記タブ部は、上側層及び下側層を有する二層構造を有しており、前記上側層において、互いに対向して延びる一対の縁部である側縁部を有する板状の上側タブ部と、前記下側層において、互いに対向して延びる一対の縁部である側縁部を有する板状の下側タブ部と、を有しており、前記上側タブ部の側縁部のうち一方の側縁部と前記下側タブ部の側縁部のうち一方の側縁部とは一体につながっており、前記上側タブ部には、前記下側層に面する側とは反対の側に向かって延びる部分である係止部が形成されていることを特徴とする。
【０００９】
本発明の一態様に係る雄型端子において、前記上側層は、前記上側タブ部の側縁部のうち一方の側縁部を有する一方の上側タブ部と、前記上側タブ部の側縁部のうち他方の側縁部を有する他方の上側タブ部を有しており、前記一方の上側タブ部の一方の側縁部と前記下側タブ部の一方の側縁部、及び、前記他方の上側タブ部の他方の側縁部と前記下側タブ部の他方の側縁部は一体につながっており、前記一方の上側タブ部に前記係止部が形成されていることを特徴とする。
【００１０】
本発明の一態様に係る雄型端子において、上側層において、前記上側タブ部は、前記下側タブ部から曲げられて形成されていることを特徴とする。
【００１１】
本発明の一態様に係る雄型端子において、前記上側タブ部には、該上側タブ部の側縁部のうち一方の側縁部から一体につながり、前記側縁部の間を延伸して前記下側タブ部と重なる延伸部が形成されていることを特徴とする。
【００１２】
本発明の一態様に係る雄型端子において、前記下側タブ部には、該下側タブ部の側縁部からそれぞれ外方に向けて張り出した部分である張出部が形成されており、前記延伸部は、前記張出部より前記上側タブ部の側縁部が延びる一方の側に延伸していることを特徴とする。
【００１３】
本発明の一態様に係る雄型端子において、前記延伸部は、前記下側タブ部と接合された延伸部側接合部を有することを特徴とする。
【００１４】
本発明の一態様に係る雄型端子において、前記上側タブ部には、該上側タブ部の側縁部のうち一方の側縁部から一体につながり、前記側縁部の間を延伸して前記下側タブ部と重なる延伸部が形成されており、前記係止部は、前記上側タブ部の側縁部が延びる延び方向の一側が前記上側タブ部に一体につながった連結端部を有し、前記延伸部は、前記下側タブ部と線状に接合された延伸部側接合部を有し、前記連結端部は、前記延伸部側接合部の延長線上に前記下側タブ部と結合された連結端部側接合部を有することを特徴とする。
【００１５】
上記目的を達成するために、本発明に係る端子付き電線は、端子付き電線であって、電線と、前記雄型端子と、を備え、前記電線の一端が前記雄型端子の電線接続部に接続されていることを特徴とする。
【発明の効果】
【００１６】
本発明の雄型端子及び端子付き電線によれば、強度の向上を図ることができる。
【図面の簡単な説明】
【００１７】
【図１】本発明の第１の実施の形態に係る雄型端子の概略構成を示すための図であり、図１（ａ）は、本発明の第１の実施の形態に係る雄型端子を一側から見た斜視図であり、図１（ｂ）は、本発明の第１の実施の形態に係る雄型端子を他側から見た斜視図である。
【図２】本発明の第１の実施の形態に係る雄型端子の平面図である。
【図３】本発明の第２の実施の形態に係る端子付き電線の概略構成を示すための図であり、図３（ａ）は、本発明の第２の実施の形態に係る端子付き電線における電線を示す斜視図であり、図３（ｂ）は、本発明の第２の実施の形態に係る端子付き電線の斜視図である。
【図４】本発明の第２の実施形態に係る雄型端子をコネクタハウジングに挿入した状態で示す概略断面図である。
【図５】本発明の第３の実施の形態に係る雄型端子を示す斜視図である。
【図６】本発明の第４の実施の形態に係る雄型端子の概略構成を示すための図であり、図６（ａ）は、本発明の第４の実施の形態に係る雄型端子を一側から見た斜視図であり、図６（ｂ）は、本発明の第４の実施の形態に係る雄型端子を他側から見た斜視図である。
【図７】本発明の第４の実施の形態に係る雄型端子の平面図である。
【図８】本発明の第５の実施の形態に係る雄型端子を示す斜視図である。
【発明を実施するための形態】
【００１８】
以下、本発明の実施の形態に係る雄型端子及び端子付き電線について図面を参照して説明する。
【００１９】
はじめに、図１及び図２を参照して、本発明の第１の実施の形態に係る雄型端子１の構成について説明する。図１は、本発明の第１の実施の形態に係る雄型端子１の概略構成を示すための図であり、図１（ａ）は、雄型端子１を一側から見た斜視図であり、図１（ｂ）は、雄型端子１を他側から見た斜視図である。図２は、雄型端子１の平面図である。
【００２０】
なお、以下に説明する本発明の実施の形態に係る雄型端子は、雄側のコネクタハウジングの内部に係止して、雌側のコネクタハウジング内に挿入された雌型端子に接続する雄型の端子である。
【００２１】
図１及び図２に示すように、本発明の第１の実施の形態に係る雄型端子１は、１枚の板状の金属部材を折り曲げることにより成形されている。板状の金属部材の厚さは約０．２５ｍｍであり、この金属部材を折り曲げることにより厚さ約０．５ｍｍの雄型端子１を成形している。
【００２２】
図１（ａ），（ｂ）に示すように、雄型端子１は、長手方向Ｘにおける一側（先端側）に図示を省略する雌型端子に挿入される部分であるタブ部１２と、長手方向Ｘにおける他側（後端側）に後述する電線１８が接続される部分である電線接続部１５とを備えている。
【００２３】
タブ部１２は、長手方向Ｘに延びる長板状の部分であり、上側の板状の部分である上側層１２ａ及び下側の板状の部分である下側層１２ｂを有する二層構造を有している。
【００２４】
上側層１２ａにおいて、互いに対向して延びる一対の縁部である側縁部３１ａ，３１ｂを有する板状の上側タブ部１３と、下側層１２ｂにおいて、互いに対向して延びる一対の縁部である側縁部４１ａ，４１ｂを有する板状の下側タブ部１４とを有している。上側層１２ａにおいて、上側タブ部１３は、下側タブ部１４から曲げられて形成され、上側タブ部１３の側縁部３１ａ，３１ｂのうち一方の側縁部３１ａと下側タブ部１４の側縁部４１ａ，４１ｂのうち一方の側縁部４１ａとは一体につながっている。
【００２５】
具体的には、タブ部１２は、１枚の板状の金属部材を下側タブ部１４から下側タブ部１４の一方の側縁部４１ａと上側タブ部１３の一方の側縁部３１ａで折り曲げて下側タブ部１４に重なる上側タブ部１３が形成されている。また、長手方向Ｘにおける先端側（雌型端子が接続される側）から後述する係止部３２の連結端部３２１までの間において、上側タブ部１３の他方の側縁部３１ｂと下側タブ部１４の他方の側縁部４１ｂでは、上側タブ部１３の端面３１ｃと下側タブ部１４の端面４１ｃとが略面一となるように下側タブ部１４に上側タブ部１３が重ねられている。
【００２６】
タブ部１２には、図示を省略する雌型端子に対して固定が可能となるように雌側端子に形成された突起部等の挿通を許容する孔である接続部２１が形成されており、タブ部１２が雌型端子に挿入されると、接続部２１は突起部等を挿通して雌型端子に固定される。
【００２７】
上側タブ部１３には、長手方向Ｘに直交する幅方向Ｙの略中心において、下側層１２ｂに面する側とは反対の側（矢印Ｚ方向）に向かって延びる長板状の部分である係止部３２が形成されている。この係止部３２は、下側タブ部１４から側縁部４１ａと側縁部３１ａで曲げられて下側タブ部１４に重ねられた上側タブ部１３に一体に形成されている。すなわち、係止部３２は、一対の折り曲げ部分のうち一方の折り曲げ部分である側縁部４１ａと側縁部３１ａで折り曲げた側の上側タブ部１３に形成されている。
【００２８】
上記係止部３２は、側縁部３１ａ，３１ｂが延びる延び方向（長手方向Ｘ）の接続部２１側が上側タブ部１３に一体につながった連結端部３２１と、延び方向の電線接続部１５側が後述するコネクタハウジング１９の内面と接触状態を維持可能な自由端部３２２とを有している。
【００２９】
連結端部３２１には、レーザ等により下側タブ部１４と溶接される部分である連結端部側接合部３２３を有している（図２参照）。この連結端部側接合部３２３は、下側タブ部１４と上側タブ部１３が重なった部分であり、溶接により下側タブ部１４と一体化される部分である。
【００３０】
また、上側タブ部１３には、他方の側縁部３１ｂから一体につながり、側縁部３１ａ，３１ｂの間を延伸して下側タブ部１４と重なる長板状の部分である延伸部３３が形成されている。この延伸部３３は、側縁部３１ａ，３１ｂの間を後述する張出部４２より上側タブ部１３の側縁部３１ａ，３１ｂが延びる一方の側に延伸している。
【００３１】
具体的には、延伸部３３は、下側タブ部１４の他方の側縁部４１ｂから曲げられた上側タブ部１３の他方の側縁部３１ｂと一体に形成されている。すなわち、延伸部３３は、一対の折り曲げ部分のうち他方の折り曲げ部分である側縁部４１ｂと側縁部３１ｂで折り曲げた側の上側タブ部１３に形成されており、幅方向Ｙの略中心において後述する張出部４２を超えて電線接続部１５側に延びて形成されている。
【００３２】
延伸部３３には、レーザ等により下側タブ部１４と溶接される部分である延伸部側接合部３３１を有している（図２参照）。この延伸部３３は、下側タブ部１４と上側タブ部１３が重なった部分であり、溶接により下側タブ部１４と一体化される部分である。
【００３３】
下側タブ部１４には、下側タブ部１４の側縁部４１ａ，４１ｂからそれぞれ外方に向けて張り出した部分である張出部４２が形成されている。この張出部４２は、下側タブ部１４と一体につながっており、後述するコネクタハウジング１９の内部に雄型端子１を挿入した際に、コネクタハウジング１９の内壁に当接してコネクタハウジング１９に対する正規の挿入位置からの長手方向Ｘへの移動を抑制する。
【００３４】
電線接続部１５は、断面形状が略円形状の筒体となるように下側層１２ｂにおける板状の金属部材が丸められ、金属部材の側縁部同士を突き合わせて圧着部側接合部５１をレーザ等により溶接して一体化することにより形成されている。筒状に形成された電線接続部１５は、電線１８が挿入される挿入口５２と、挿入口５２から挿入された電線１８が圧着される圧着部５３とを有している。また、圧着部５３の前端部（タブ部１２側）には、封止部５４が設けられる。すなわち、電線接続部１５は、一方が閉じた略筒状で、電線１８が挿入される挿入口５２以外は封止される。
【００３５】
圧着部５３は、後述する電線１８の絶縁被覆部８４を圧着する被覆圧着部５３１と、後述する電線１８の先端部分において絶縁被覆部８４が除去されてアルミ導体部８３が露出した導体露出部８５を圧着する導体圧着部５３２とからなる。そして、圧着部５３を圧縮すると、圧着部５３がアルミ導体部８３及び絶縁被覆部８４に圧着される。
【００３６】
次に、図２を参照して、上述したように構成される雄型端子１の連結端部側接合部３２３と、延伸部側接合部３３１と、圧着部側接合部５１における接合方法について説明する。なお、本実施の形態では、雄型端子１をプレス成形により曲げ加工した後、図示を省略するレーザ溶接機が有するレーザ光源でレーザ光を照射することにより溶接して接合する場合について説明する。レーザ光源は、公知のファイバレーザであり、希土類元素を添加した石英光ファイバをレーザ媒体に使用して近赤外領域の波長のレーザ光を発振する。ファイバレーザは、連続発振、パルス発振、ＱＣＷ発振、又はパルス制御された連続発振によって照射されてもよい。
【００３７】
図２に示すように、雄型端子１は、下側タブ部１４と接合される部分である延伸部側接合部３３１の延長線上Ｌに、下側タブ部１４と接合される部分である連結端部側接合部３２３と、側縁部同士を突き合わせた部分である圧着部側接合部５１を有する。この、連結端部側接合部３２３と、延伸部側接合部３３１と、圧着部側接合部５１は、幅方向Ｙの略中心で長手方向Ｘに沿って略一直線上に位置している。
【００３８】
そして、連結端部側接合部３２３から延伸部側接合部３３１、圧着部側接合部５１へと直線状（延長線上Ｌ）にレーザ光源を移動することにより連結端部側接合部３２３、延伸部側接合部３３１、圧着部側接合部５１にそれぞれレーザ光を照射する。
【００３９】
具体的には、直線状にレーザ光源を移動することにより、連結端部側接合部３２３にレーザ光を照射して点状に下側タブ部１４と溶接し、延伸部側接合部３３１にレーザ光を照射して線状に下側タブ部１４と溶接し、圧着部側接合部５１にレーザ光を照射して側縁部同士を溶接して一体化して筒状に形成する。すなわち、レーザ光源を移動する軌跡を直線状にすることにより、溶接にかかる作業時間を短縮して作業の効率化を図る。
【００４０】
なお、電線接続部１５の封止部５４も延伸部側接合部３３１の延長線上Ｌに位置しているため、上記のレーザ溶接に加えて、封止部５４をレーザ溶接等によって溶接して電線接続部１５内への水の侵入を抑制してもよい。
【００４１】
このように、本発明の第１の実施の形態に係る雄型端子１によれば、タブ部１２は、上側層１２ａ及び下側層１２ｂを有する二層構造を有し、上側層１２ａにおける上側タブ部１３に係止部３２が形成されているため、強度の向上を図ることができる。すなわち、上側タブ部１３に係止部３２を形成するため、係止部３２の下側層１２ｂに面する側には下側タブ部１４が形成されている。このため、タブ部１２において、外力が加わった場合に破損する部分であるタブ部１２の厚さ方向に貫通する部分やタブ部１２の幅方向Ｙに狭い部分を形成することなく係止部３２を設けることができる。具体的には、１枚の板材によりタブ部を形成してこれを打ち抜いて係止部を形成すると、タブ部の幅方向が狭く強度が弱い部分が形成されることとなる。しかしながら、本発明の第１の実施の形態に係る雄型端子１によれば、タブ部１２は、上側層１２ａ及び下側層１２ｂの二層構造を有しているため、幅方向の狭い強度の弱い部分が形成されることなく係止部３２を設けることができ、雄型端子１に外力が加わった場合における破損を抑制することができる。
【００４２】
また、雄型端子１においては、下側タブ部１４と上側タブ部１３が重なった部分である連結端部側接合部３２３及び延伸部側接合部３３１を溶接して下側タブ部１４と一体化する。すなわち、一方の折り曲げ部分から折り曲げて形成された係止部３２と、他方の折り曲げ部分から折り曲げて形成された延伸部３３のそれぞれに接合部（連結端部側接合部３２３と延伸部側接合部３３１）を設けることにより、上側タブ部１３と下側タブ部１４との位置ずれや剥がれ、スプリングバック等の弊害を防止するため、雄型端子１の品質を向上させることができる。
【００４３】
そして、雄型端子１においては、板状の金属部材を折り曲げて２重構造としている。このため、金属部材の厚さを従来よりも薄くすることができるため、雄型端子１を製造するための材料費や加工費等、製造コストの低減を図ることができる。
【００４４】
次いで、図３及び図４を参照して、上述したように構成された雄型端子１に電線１８が圧着接続された本発明の第２の実施の形態に係る端子付き電線１０１の構成について説明する。図３は、本発明の第２の実施の形態に係る端子付き電線１０１の概略構成を示すための図であり、図３（ａ）は、端子付き電線１０１における電線１８を示す斜視図であり、図３（ｂ）は、端子付き電線１０１の斜視図である。図４は、本発明の第２の実施の形態に係る端子付き電線１０１をコネクタハウジングに挿入した状態で示す概略断面図である。
【００４５】
上述した雄型端子１に圧着接続される電線１８は、図３（ａ）に示すように、少なくとも１つのアルミニウム製又はアルミニウム合金製の素線８２から形成されたアルミ導体部８３と、アルミ導体部８３を覆う絶縁材から形成された部材である絶縁被覆部８４とを有している。また、電線１８は、一端において、アルミ導体部８３が絶縁被覆部８４から露出した導体露出部８５を有している。
【００４６】
雄型端子１の電線接続部１５において、挿入口５２から挿入された電線１８は、図３（ｂ）に示すように、圧着部５３において圧着されている。具体的には、絶縁被覆部８４は被覆圧着部５３１において圧着されており、導体露出部８５は導体圧着部５３２において圧着されており、これにより雄型端子１と電線１８とが電気的に接続される。
【００４７】
より詳細には、挿入口５２から電線１８の絶縁被覆部８４の一端を所定の長さ剥離してアルミ導体部８３が露出した導体露出部８５を挿入すると、圧着部５３の内部に被覆圧着部５３１に絶縁被覆部８４が位置し、導体圧着部５３２に導体露出部８５が位置する。そして、図示を省略する一対の金型を噛み合わせて、圧着部５３を圧縮すると、被覆圧着部５３１が絶縁被覆部８４に圧着され、導体圧着部５３２が導体露出部８５に圧着されて、端子付き電線１０１が形成される。
【００４８】
なお、電線１８の導通性能を向上するため、導体圧着部５３２において導体露出部８５が圧着接続される内面に、幅方向Ｙの溝であるセレーションを複数本形成してもよい。
【００４９】
図４に示すように、上記のように形成された端子付き電線１０１をコネクタハウジング１９の内部に挿入すると、雄型端子１の係止部４４がコネクタハウジング１９の内部に設けられた段差部９２によって係止する。具体的には、段差部９２は、下方に突出して係止部４４の自由端部３２２を下側層１２ｂ側に撓み変形させる上壁部９３と、この上壁部９３による撓み変形が解消されると自由端部３２２が当接する当接部９４を有している。そして、端子付き電線１０１をコネクタハウジング１９の内部に挿入すると、係止部４４の自由端部３２２が上壁部９３によって撓み変形し、さらに端子付き電線１０１を挿入して自由端部３２２が上壁部９３を超えると撓み変形から復帰して当接部９４に当接して、端子付き電線１０１がコネクタハウジング１９の内部に係止するように形成されている。
【００５０】
そして、上記のように端子付き電線１０１が挿入されたコネクタハウジング１９を、図示を省略する雌側のコネクタハウジングと嵌合することにより、端子付き電線１０１が雌側のコネクタハウジングに挿入された端子付き電線と電気的に接続する。
【００５１】
本発明の第２の実施の形態に係る端子付き電線１０１は、上述の本発明の第１の実施の形態に係る雄型端子１と同様の効果を奏することができる。
【００５２】
次いで、図５を参照して、本発明の第３の実施の形態に係る雄型端子２について説明する。図５は、本発明の第３の実施形態に係る雄型端子２を示す斜視図である。
【００５３】
なお、本発明の第３の実施の形態に係る雄型端子２は、上述の本発明の第１の実施の形態に係る雄型端子１に対して、雄型端子１の電線接続部１５の構成に改良を加えたものであり、その他の部分の構成は同様である。そこで、以下では、上述の雄型端子１と同様の又は類似する構成については同一の符号を付してその説明を省略し、異なる部分について説明する。
【００５４】
図５に示すように、本発明の第３の実施の形態に係る雄型端子２においては、電線接続部２１５は下側層１２ｂにおける板状の金属部材により形成されている。この電線接続部２１５は、電線１８の導体露出部８５に係合するための部材であるワイヤーバレル部５３５と、電線１８の絶縁被覆部８４に係合するための部材であるインシュレーションバレル部５３６を有し、それぞれ電線１８を載置する部分である底部２１６に電線１８を押圧して挟持することが可能に形成されている。より具体的には、ワイヤーバレル部５３５は、互いに対向して底部２１６の縁部から突出したワイヤーバレル片５３７として形成され、インシュレーションバレル部５３６は、互いに対向して底部２１６の縁部から突出したインシュレーションバレル片５３８として形成されている。
【００５５】
次に、上述したように構成された雄型端子２と電線１８の圧着接続について説明する。電線１８との圧着接続前の状態における雄型端子２において、図５に示すように、ワイヤーバレル片５３７及びインシュレーションバレル片５３８は底部２１６が面する側に折り曲げて形成されている。
【００５６】
そして、電線１８の絶縁被覆部８４の一端を所定の長さ剥離してアルミ導体部８３が露出した導体露出部８５とし、底部２１６に載置する。具体的には、導体露出部８５をワイヤーバレル部５３５に位置させ、絶縁被覆部８４をインシュレーションバレル部５３６に位置させるように底部２１６に載置する。
【００５７】
次に、電線１８を底部２１６上に載置させた状態において、ワイヤーバレル片５３７によって導体露出部８５を、また、インシュレーションバレル片５３８によって絶縁被覆部８４を雄型端子２に拘束する。具体的には、ワイヤーバレル片５３７及びインシュレーションバレル片５３８の先端を底部２１６側に折り曲げ、ワイヤーバレル片５３７の先端を導体露出部８５に押し付け、導体露出部８５の先端側をワイヤーバレル片５３７の先端でかしめることにより、導体露出部８５を底部２１６とワイヤーバレル片５３７との間で挟持する。また、同様に、インシュレーションバレル片５３８の先端を底部２１６側に折り曲げ、インシュレーションバレル片５３８の先端を絶縁被覆部８４において電線１８に押し付け、絶縁被覆部８４において電線１８をインシュレーションバレル片５３８でかしめることによって、電線１８を底部２１６とインシュレーションバレル片５３８との間で挟持する。これにより、雄型端子２に電線１８が接合された端子付き電線が形成される。
【００５８】
なお、電線１８の導通性能を向上するため、ワイヤーバレル部５３５において導体露出部８５が圧着接続される内面に、幅方向Ｙの溝であるセレーションを複数本形成してもよい。
【００５９】
本発明の第３の実施の形態に係る雄型端子２は、上述の本発明の第１の実施の形態に係る雄型端子１と同様の効果を奏することができる。
【００６０】
次いで、図６及び図７を参照して、本発明の第４の実施の形態に係る雄型端子３について説明する。図６は、本発明の第４の実施の形態に係る雄型端子３の概略構成を示すための図であり、図６（ａ）は、雄型端子３を一側から見た斜視図であり、図６（ｂ）は、雄型端子３を他側から見た斜視図である。図７は、雄型端子３の平面図である。
【００６１】
本発明の第４の実施の形態に係る雄型端子３は、上述の本発明の第１の実施の形態に係る雄型端子１における上側タブ部１３の構成に改良を加えたものであり、その他の部分の構成は同様である。そこで、以下では、上述の雄型端子１と同様の又は類似する構成については同一の符号を付してその説明を省略し、異なる構成について説明する。
【００６２】
図６（ａ），（ｂ）に示すように、本発明の第４の実施の形態に係る雄型端子３においては、上側タブ部３１３の側縁部３３４ａと下側タブ部１４の側縁部４１ａとが一体につながっているのみならず、上側タブ部３１３の側縁部３３４ｂと下側タブ部１４の側縁部４１ｂとも一体につながっている。
【００６３】
具体的には、上側層３１２ａは、上側タブ部３１３の側縁部３３４ａ，３３４ｂのうち一方の側縁部３３４ａを有する一方の上側タブ部３１３ａと、上側タブ部３１３の側縁部３３４ａ，３３４ｂのうち他方の側縁部３３４ｂを有する他方の上側タブ部３１３ｂを有しており、上側タブ部３１３の一方の側縁部３３４ａと下側タブ部１４の一方の側縁部４１ａ、及び、上側タブ部３１３の他方の側縁部３３４ｂと下側タブ部１４の他方の側縁部４１ｂは一体につながっており、一方の上側タブ部３１３ａに係止部３２が形成されている。
【００６４】
また、上側タブ部３１３は、長手方向Ｘにおける先端側（接続部２１側）から係止部３２の連結端部３２１までの間において、下側タブ部１４から曲げられて形成された一方の上側タブ部３１３ａの端面３３４ｃと、下側タブ部１４から曲げられて形成された他方の上側タブ部３１３ｂの端面３３４ｄは、幅方向Ｙの略中心において対向している。
【００６５】
一方の上側タブ部３１３ａには、幅方向Ｙの略中心において、下側層１２ｂに面する側とは反対の側（矢印Ｚ方向）に向かって延びる長板状の部分である係止部３２が形成されている。この係止部３２は、下側タブ部１４から側縁部４１ａと側縁部３３４ａで曲げられて下側タブ部１４に重ねられた一方の上側タブ部３１３に一体に形成されている。すなわち、係止部３２は、一対の折り曲げ部分のうち一方の折り曲げ部分である側縁部４１ａと側縁部３３４ａで折り曲げた側の一方の上側タブ部３１３ａに形成されている。
【００６６】
他方の上側タブ部３１３ｂには、他方の側縁部３３４ｂから一体につながり、側縁部３３４ａ，３３４ｂの間を延伸して下側タブ部１４と重なる長板状の部分である延伸部３３が形成されている。すなわち、延伸部３３は、一対の折り曲げ部分のうち他方の折り曲げ部分である側縁部４１ｂと側縁部３３４ｂで折り曲げた側の他方の上側タブ部３１３ｂに形成されており、幅方向Ｙの略中心において張出部４２を超えて電線接続部１５側に延びている。
【００６７】
図７に示すように、雄型端子３は、上述の本発明の第１の実施の形態に係る雄型端子１と同様に、下側タブ部１４と接合される部分である延伸部側接合部３３１の延長線上Ｌに、下側タブ部１４と接合される部分である連結端部側接合部３２３と、側縁部同士を突き合わせた部分である圧着部側接合部５１を有する。これにより、レーザ光源を移動する軌跡を直線状にして溶接にかかる作業時間を短縮して作業の効率化を図る。また、一方の上側タブ部３１３ａから折り曲げて形成された係止部３２と、他方の上側タブ部３１３ｂから折り曲げて形成された延伸部３３のそれぞれに接合部（連結端部側接合部３２３と延伸部側接合部３３１）を設けることにより、上側タブ部３１３と下側タブ部１４との位置ずれや剥がれ、スプリングバック等の弊害を防止するため、雄型端子１の品質を向上させることができる。
【００６８】
本発明の第４の実施の形態に係る雄型端子３は、上述の本発明の第１の実施の形態に係る雄型端子１と同様の効果を奏することができる。
【００６９】
次いで、図８を参照して、本発明の第５の実施形態に係る雄型端子４について説明する。図８は、本発明の第５の実施の形態に係る雄型端子４の概略構成を示すための図である。
【００７０】
本発明の第５の実施の形態に係る雄型端子４は、上述の本発明の第４の実施の形態に係る雄型端子３における電線接続部１５の構成を上述の本発明の第３の実施の形態に係る電線接続部２１５の構成にしたものであり、その他の部分の構成は同様である。
【００７１】
具体的には、上述した本発明の第４の実施の形態に係る雄型端子３の電線接続部２１５は、上述した本発明の第３の実施の形態に係る電線接続部２１５と同様に、下側層１２ｂにおける板状の金属部材により形成されており、この電線接続部２１５は、電線１８の導体露出部８５に係合するための部材であるワイヤーバレル部５３５と、電線１８の絶縁被覆部８４に係合するための部材であるインシュレーションバレル部５３６を有し、電線１８を載置する部分である底部２１６に電線１８を押圧して挟持することが可能に形成されている。
【００７２】
本発明の第５の実施の形態に係る雄型端子４は、上述の本発明の第４の実施の形態に係る雄型端子３と同様の効果を奏することができる。
【００７３】
以上、本発明の実施の形態に係る雄型端子１〜４、端子付き電線１０１を図示して説明したが、本発明の実施の形態に係る雄型端子及び端子付き電線は、上述の雄型端子１〜４及び端子付き電線１０１に限定されるものではなく、本発明の概念及び特許請求の範囲に含まれるあらゆる態様を含む。また、上述した課題及び効果の少なくとも一部を奏するように、各構成を適宜選択的に組み合わせてもよい。
【００７４】
例えば、上述した雄型端子１〜４は、タブ部１２には、雌側端子に形成された突起部等の挿通を許容する孔である接続部２１が形成されている場合を図示して説明したが、接続部２１を設けなくてもよく、接続部２１の形状は他の形状であってもよい。しかし、上述した雄型端子１〜４のように、二層構造を有するタブ部１２に孔形状の接続部２１を形成すると、孔の縁に生じたバリにより上側タブ部１３と下側タブ部１４との位置ずれや剥がれ、スプリングバック等の弊害を防止することができる。
【００７５】
また、上述した雄型端子１〜４では、係止部３２は、一側が上側タブ部１３、３１３に一体につながり、他端がコネクタハウジング１９の内面と接触状態を維持可能な自由端部３２２を有する長板状の部分である場合について説明したが、コネクタハウジング１９の内部に係止可能な形状であれば、一側及び他側のいずれも上側タブ部１３、３１３に一体につながっていてもよく、係止部３２の形状は他の形状であってもよい。
【００７６】
そして、上述した雄型端子１〜４では、延伸部３３が張出部４２を超えて電線接続部１５側に延びている場合について説明したが、延伸部３３は、下側タブ部１４に溶接可能であれば延びている長さは適宜変更が可能であり、例えば電線接続部１５の封止部５４や底部２１６まで延びていてもよい。
【００７７】
以上のように、同様の機能を有する任意の構成のものに置き換えても、本発明の実施形態に係る雄型端子１〜４、端子付き電線１０１と同様の作用効果を得ることができる。
【符号の説明】
【００７８】
１，２，３，４  雄型端子
１２  タブ部
１２ａ，３１２ａ  上側層
１２ｂ  下側層
１３，３１３  上側タブ部
１４  下側タブ部
１５，２１５  電線接続部
１８  電線
１９  コネクタハウジング
９２  段差部
９３  上壁部
９４  当接部
２１  接続部
３１ａ，３１ｂ、３３４ａ，３３４ｂ  側縁部
３２  係止部
３３  延伸部
４１ａ，４１ｂ  側縁部
４２  張出部
３２１  連結端部
３２２  自由端部
３２３  連結端部側接合部
３３１  延伸部側接合部
１０１  端子付き電線
【図１】
0006655468.tif 000002
【図２】
0006655468.tif 000003
【図３】
0006655468.tif 000004
【図４】
0006655468.tif 000005
【図５】
0006655468.tif 000006
【図６】
0006655468.tif 000007
【図７】
0006655468.tif 000008
【図８】
0006655468.tif 000009